(57)【要約】      （修正有）【課題】ダウンコンバート回路を１回路実装するのみで、高品位での１画面表示の視聴と多画面表示自動切替ができるテレビジョン受信機を提供する。【解決手段】テレビジョン受信機１において、放送受信部１０、１１と、２画面表示時に該受信部で受信したＨＤ信号をＳＤ信号として出力するフォーマット変換部１４、１５と、該フォーマット変換部から出力されるＳＤ信号と画像処理回路２０を介する外部映像信号入力回路１７からのＳＤ信号を多画面用映像信号に合成する画像合成回路１６と、１画面表示、２画面表示に応じて映像信号のフォーマットを変えて出力するよう指令する操作信号を外部機器４に出力するフォーマット切替指令手段２３〜２６、３０を備えた。【選択図】図１
2007043268.tif 000002
【特許請求の範囲】
【請求項１】
複数種のソースフォーマットの映像信号を受信、及び複数種のソースフォーマットの映像信号を外部機器から入力して映像表示パネルに多画面として表示することができる映像表示装置において、
複数種のソースフォーマットの映像信号を受信することができる受信部と、
多画面表示時に前記受信部で受信した映像信号を多画面に合成するのに適したフォーマットの映像信号として出力するフォーマット変換部と、
前記外部機器からの映像信号を入力する外部映像信号入力部と、
前記フォーマット変換部から出力される映像信号と前記外部映像信号入力部からの映像信号を多画面用映像信号に合成する画像合成回路と、
前記外部機器から出力される映像信号のフォーマットを変えて出力するよう指令する操作信号を前記外部機器に出力するフォーマット切替指令手段を備えたことを特徴とする映像表示装置。
【請求項２】
前記フォーマット切替指令手段は、
多画面表示のときに前記外部機器から出力される映像信号のフォーマットを前記画像合成回路で合成可能なフォーマットで出力するよう指令する操作信号を前記外部機器に出力することを特徴とする請求項１に記載の映像表示装置。
【請求項３】
前記フォーマット切替指令手段は、
１画面表示のときに、前記外部機器から出力する映像信号のフォーマットを、元の映像信号のソースフォーマットから変換しないで出力するよう指令する操作信号を前記外部機器に出力することを特徴とする請求項１に記載の映像表示装置。
【請求項４】
前記フォーマット切替指令手段は、
多画面表示のときに前記外部機器から出力される映像信号のフォーマットを前記画像合成回路で合成可能なフォーマットで出力するよう指令する操作信号を前記外部機器に出力し、１画面表示のときに、前記外部機器から出力する映像信号のフォーマットを、元の映像信号のソースフォーマットから変換しないで出力するよう指令する操作信号を前記外部機器に出力することを特徴とする請求項１に記載の映像表示装置。
【請求項５】
前記受信部で受信する前記複数種のソースフォーマットはＨＤ信号とＳＤ信号であり、前記多画面合成に適したフォーマットとはＳＤ信号であることを特徴とする請求項１乃至請求項４のいずれか一項に記載の映像表示装置。
【請求項６】
前記フォーマット変換部は映像信号のソースフォーマットをＨＤ信号からＳＤ信号にダウンコンバートするＨＤ−ＳＤ信号変換回路を１回路のみ備えたことを特徴とする請求項１乃至請求項５のいずれか一項に記載の映像表示装置。
【請求項７】
前記フォーマット切替指令手段は、前記外部機器から出力される映像信号のフォーマットを切り替える操作信号を発信するリモコン発光部を備えることを特徴とする請求項１乃至請求項６のいずれか一項に記載の映像表示装置。
【請求項８】
前記リモコン発光部はビデオマウスであることを特徴とする請求項７に記載の映像表示装置。
【請求項９】
前記フォーマット切替指令手段は、
前記外部映像信号入力部から入力される映像信号のフォーマットを判別するＨＤ／ＳＤ判別部と、
２画面表示のときに前記ＨＤ／ＳＤ判別部が前記外部映像信号入力部から入力される映像信号のフォーマットをＨＤ信号と判別したとき前記リモコン発光部に前記外部機器から出力される映像信号のフォーマットを切り替える操作信号を送信するフォーマット切替信号送信手段を備えたことを特徴とする請求項７又は請求項８に記載の映像表示装置。
【請求項１０】
前記フォーマット切替指令手段は、
１画面表示のときに、前記外部機器から出力する映像信号のフォーマットを、元の映像信号のソースフォーマットから変換しないで出力するよう指令する操作信号を前記リモコン発光部に送信するフォーマット切替信号送信手段を備えたことを特徴とする請求項７又は請求項８のいずれか一項に記載の映像表示装置。
【請求項１１】
複数種のソースフォーマットの映像信号を受信、及び複数種のソースフォーマットの映像信号を外部機器から入力して映像表示パネルに多画面として表示することができる映像表示システムにおいて、
複数種のソースフォーマットの映像信号を受信することができる受信部と、
多画面表示時に前記受信部で受信した映像信号のソースフォーマットを多画面に合成するのに適したフォーマットとして出力するフォーマット変換部と、
映像信号のソースフォーマットを操作信号により切り替えて多画面合成に適したフォーマットの映像信号として出力することのできる前記外部機器と、
前記外部機器からの映像信号を入力する外部映像信号入力部と、
前記フォーマット変換部から出力される映像信号と前記外部映像信号入力部からの映像信号を多画面用映像信号に合成する画像合成回路と、
前記外部機器から出力される映像信号のフォーマットを変えて出力するよう指令する操作信号を前記外部機器に出力するフォーマット切替指令手段を備えたことを特徴とする映像表示システム。
【請求項１２】
前記フォーマット切替指令手段は、
多画面表示時に前記外部機器から出力する映像信号のフォーマットを前記画像合成回路で合成可能なフォーマットで出力するよう指令する前記操作信号を前記外部機器に出力することを特徴とする請求項１１に記載の映像表示システム。
【請求項１３】
前記フォーマット切替指令手段は、
１画面表示時に、前記外部機器から出力する映像信号のフォーマットを、元の映像信号のソースフォーマットから変換しないで出力するよう指令する前記操作信号を前記外部機器に送信することを特徴とする請求項１１に記載の映像表示システム。
【請求項１４】
前記フォーマット切替指令手段は、
多画面表示時に、前記外部機器から出力する映像信号のフォーマットを、前記画像合成回路で合成可能なフォーマットで出力するよう指令する前記操作信号を前記外部機器に出力し、
１画面表示時に、前記外部機器から出力する映像信号のフォーマットを、元の映像信号のソースフォーマットから変換しないで出力するように指令する前記操作信号を前記外部機器に送信することを特徴とする請求項１１に記載の映像表示システム。
【請求項１５】
複数種のソースフォーマットの映像信号を受信、及び複数種のソースフォーマットの映像信号を外部機器から入力して映像表示パネルに多画面として表示することができる映像表示装置の多画面表示方法において、
画面表示を多画面表示か１画面表示かの表示状態に応じて前記外部機器から出力される映像信号のフォーマットを変えて出力するよう指令する操作信号を前記外部機器に出力することを特徴とする映像表示装置の多画面表示方法。
【請求項１６】
複数種のソースフォーマットの映像信号を受信、及び複数種のソースフォーマットの映像信号を外部機器から入力して映像表示パネルに多画面として表示することができる映像表示装置の多画面表示方法において、
多画面表示する際は、前記外部機器から出力される映像信号のフォーマットが多画面合成するのに適したフォーマットになるように選択して出力し、
前記外部機器からの映像信号で１画面表示する際は、前記外部機器から出力される映像信号が最も高品位の映像信号となるフォーマットを選択して出力するように前記外部機器の出力を切り替えることを特徴とする映像表示装置の多画面表示方法。
【請求項１７】
複数種のソースフォーマットの映像信号を受信、及び複数種のソースフォーマットの映像信号を外部機器から入力して映像表示パネルに多画面として表示することができる映像表示装置の多画面表示方法において、
前記外部機器から出力される映像信号のフォーマットが多画面表示する際に多画面に合成するのに適したフォーマットで出力するように前記外部機器に操作信号を出力する第１工程と、
映像信号を受信して、該受信した映像信号のソースフォーマットを多画面表示する際に多画面に合成するのに適したフォーマットの映像信号として出力する第２工程と、
多画面表示する際に前記第２工程で出力された映像信号と前記外部機器から入力される映像信号を多画面用映像信号に合成する第３工程を備えたことを特徴とする映像表示装置の多画面表示方法。
【請求項１８】
前記複数種のソースフォーマットはＨＤ信号とＳＤ信号であり、前記多画面合成に適したフォーマットとはＳＤ信号であることを特徴とする請求項１７に記載の映像表示装置の多画面表示方法。
【請求項１９】
前記第１工程は、前記外部機器から出力される映像信号のフォーマットを切り替える操作信号をリモコン発光部から前記外部機器のリモコン受光部に発信する第４の工程を含むことを特徴とする請求項１７又は請求項１８のいずれか一項に記載の映像表示装置。
【請求項２０】
前記第１工程は、
前記外部映像信号入力部から入力される映像信号のフォーマットがＨＤ信号かＳＤ信号かを判別する第５の工程と、
前記第５の工程でＨＤ信号と判別したとき前記リモコン発光部に前記外部機器から出力される映像信号のフォーマットを切り替える操作信号を送信する第６の工程を備えたことを特徴とする請求項１９に記載の映像表示装置。
【請求項２１】
１画面表示のときに、前記外部機器から出力される映像信号のフォーマットを、元の映像信号のソースフォーマットから変換しないで出力するように指令する操作信号を前記外部機器に送信する第７の工程を備えたことを特徴とする請求項１８乃至請求項２０のいずれか一項に記載の映像表示装置。
【発明の詳細な説明】
【技術分野】
【０００１】
本発明は、テレビジョン受信機に係り、特に複数のフォーマットからなる映像ソースにより多画面表示する際に、これらの映像ソースを多画面合成するのに最適なように自動的に切り替え選択することができるテレビジョン受信機に関する。
【背景技術】
【０００２】
従来、テレビジョン受信機では主画面の中に副画面を合成して表示する多画面表示方法が知られている。この場合の映像信号のソースフォーマットとして、必ずしも同じフォーマットの信号が受信、入力されるとは限らない。ソースフォーマットの種類としては、例えば、ＮＴＳＣ方式のテレビジョン受信機で扱う４８０ｉフォーマット（有効走査線数４８０本、Interlaced
scan:飛び越し走査方式、以下ＳＤフォーマットと言う。また、ＳＤフォーマットの映像信号をＳＤ信号と言うことにする。）、ハイビジョン受信機で扱う１０８０ｉフォーマット（有効走査線数１０８０本、飛び越し走査方式、以下ＨＤフォーマットと言う。また、ＨＤフォーマットの映像信号をＨＤ信号と言うことにする。）等がある。
【０００３】
図３はテレビジョン受信機の映像表示部３に２画面を表示したときの一例を示したものである。Ａは主画面、Ｂは副画面を示している。この例では主画面Ａと副画面Ｂが左右に均等に表示されている。また、図４は主画面Ａの中に副画面Ｂが入った他の一例を示したものである。
【０００４】
従来の、このような多画面表示機能を持ったテレビジョン受信機の信号合成回路の構成例を図５に示す。４はテレビジョン受信機に外付けされる外部機器をセットトップボックス（以下ＳＴＢという）として構成した外部映像受信機であり、単独でテレビジョン放送が受信可能で、例えば、ケーブルテレビ受信機等の映像受信機がある。また、３１はテレビジョン受信機で、テレビジョン受信部３２、映像表示部３からなる。テレビジョン受信部３２は単独でテレビジョン放送を受信することが可能である。このテレビジョン受信部３２はアンテナ１０からテレビジョン放送を受信する他に、他の映像信号を入力する外部映像信号入力回路１７を備えている。また、３はテレビジョン受信部３２の出力側に備わる映像表示部であり、テレビジョン受信部３２からの映像信号により映像を表示する。映像表示部３としては、例えばブラウン管表示装置（ＣＲＴ）、液晶表示装置、プラズマディスプレイ（ＰＤＰ）等がある。
【０００５】
次に、外部映像受信機４、テレビジョン受信部３２、映像表示部３のそれぞれについて構成の詳細を説明する。
【０００６】
外部映像受信機４は、テレビジョン受信部３２に外部機器として外付けされ、テレビジョン受信部３２とは独立に放送を受信することが可能な外部映像受信機である。外部映像受信機４としては、一般的に専用放送、有料放送を受信するためのＳＴＢがセットされる場合が多い。しかしＳＴＢに限定されてはいない。本発明を実施するにあたり、同じ内容の映像信号をＨＤ信号、又はＳＤ信号にリモコンなどで切り替えて出力できるＤＶＤ、ビデオ装置などの映像信号再生装置を、テレビジョン受信部３２に外付けされた外部機器として外部映像受信機４の代わりに使用することもできる。
【０００７】
図５に示されるように、外部映像受信機４はアンテナ５、受信回路６、ダウンコンバート回路（映像フォーマットをＨＤフォーマットからＳＤフォーマットに変換する変換回路で、以下ＨＤ−ＳＤ変換回路という）７、ＨＤ／ＳＤ切替回路８、外部映像信号出力回路９、マイコン２７、リモコン受光部２８などから構成される。
【０００８】
アンテナ５で受信された放送電波は受信回路６に入力され、検波、復調され、選局された放送の映像信号が生成される。受信回路６からの映像信号はＨＤ／ＳＤ切替回路８のｇ側に直接入力されると共に、ＨＤ−ＳＤ変換回路７を経由してＨＤ／ＳＤ切替回路８のｈ側に入力される。ＨＤ−ＳＤ変換回路７はＨＤ信号をダウンコンバートすることによってＳＤ信号を生成する回路である。したがって外部映像受信機４がＨＤ信号を受信している場合、ＨＤ／ＳＤ切替回路８には受信回路６から直接入力されるＨＤ信号と、ＨＤ−ＳＤ変換回路７を経由した同じ放送内容のＳＤ信号が入力されている。ＨＤ／ＳＤ切替回路８はマイコン２７の指令によりｇ側（ＨＤ信号）、またはｈ側（ＳＤ信号）のいずれかを選択して外部映像信号出力回路９に出力する。外部映像信号出力回路９はテレビジョン受信部３２にこの外部映像信号を出力する。
【０００９】
また、赤外線などを利用するリモコン２９を操作してリモコン受光部２８に操作信号を送ると、この操作信号を受けたリモコン受光部２８は電圧信号に変換してマイコン２７にこの操作信号を出力する。このリモコン２９の操作によりＨＤ／ＳＤ切替回路８をｇ側、またはｈ側に切り替えることができる。
【００１０】
なお、図５に示した外部映像受信機４ではＨＤ信号とＳＤ信号を内部で切り替えて出力することが可能になっているが、接続する機器によってはＨＤ信号のみ出力する場合、ＳＤ信号のみ出力する場合、ＨＤ信号、ＳＤ信号両方を出力する場合などがある。ＨＤ信号、ＳＤ信号の両方を同時に出力する場合は両方の信号が同一番組であるのが一般的である。
【００１１】
テレビジョン受信部３２は、アンテナ１０、受信回路１１、外部映像信号入力回路１７、外部映像信号切替回路１８、画像処理回路１２、１９、２０、主画像切替回路１３、ＨＤ−ＳＤ変換回路１４、ＨＤ／ＳＤ切替回路１５、画像合成回路１６、マイコン２３、リモコン受光部２４などからなる。
【００１２】
アンテナ１０はテレビジョン放送受信用アンテナである。受信回路１１はアンテナ１０からの放送信号を検波、復調し、選局したテレビ放送の映像信号を生成する回路である。アンテナ１０と受信回路１１はテレビジョン放送の受信部を構成し、ＨＤ信号、ＳＤ信号いずれの映像信号も受信することができる。画像処理回路１２は受信回路１１からの映像信号の画質、色調等を調整する回路である。
【００１３】
外部映像信号入力回路１７は外部映像受信機４からの外部映像信号を入力するインターフェスである。外部映像信号切替回路１８は、外部映像受信機４から入力された外部映像信号をａ側、又はｂ側に切り替えを行う切替回路である。ａ側はＨＤ信号又はＳＤ信号の主画面用外部映像信号が通る。ｂ側は副画面用外部映像信号が通り、この映像信号はＳＤ信号のみである。画像処理回路１９は主画面用外部映像信号の画質、色調等を調整する回路である。画像処理回路２０は副画面用外部映像信号の画質、色調等を調整する回路である。
【００１４】
主画像切替回路１３は、主画面Ａがアンテナ１０からの受信映像信号によるものか、外部映像信号入力回路１７からの外部映像信号によるものかを切り替える切替回路である。アンテナ１０からの受信映像信号の画像を主画面Ａとするときはｃ側が選択され、外部映像信号入力回路１７からの外部映像信号を主画面Ａとする場合にはｄ側が選択される。ＨＤ−ＳＤ変換回路１４は、２画面表示のときの主画面ＡのＨＤ信号をダウンコンバートしてＳＤ信号に変換する変換回路である。
【００１５】
ＨＤ／ＳＤ切替回路１５は、主画像切替回路１３からの映像信号を、直接ｅ側を通すか、ＨＤ−ＳＤ変換回路１４を介してｆ側を通すかの切り替えをするスイッチ回路である。２画面表示で主画像切替回路１３からの映像信号がＨＤ信号の場合に、ＨＤ信号をＳＤ信号に変換するためｆ側を選択し、１画面時（ＨＤ信号、又はＳＤ信号）はダウンコンバートの必要がないのでｅ側を選択する。すなわち、ＨＤ／ＳＤ切替回路１５のｆ側は２画面表示で主画像切替回路１３からの映像信号がＨＤ信号の場合に選択される。３３は受信回路１１の映像信号がＨＤ信号かＳＤ信号かを判別するＨＤ／ＳＤ判別部であり、ＨＤ／ＳＤ判別部３３の判別結果をマイコン２３が読み取り、ＨＤ／ＳＤ切替回路１５をｅ側あるいはｆ側に切り替える。
【００１６】
主画像切替回路１３の出力部からＨＤ／ＳＤ切替回路１５の出力部までの回路は、２画面表示のときに、マイコン２３の指令により切り替えて画像合成に適したＳＤフォーマットとして出力するフォーマット変換部を構成している。
【００１７】
画像合成回路１６は主画面用映像信号と副画面用外部映像信号を合成する回路であり、ＨＤ／ＳＤ切替回路１５からの主画面用映像信号と画像処理回路２０からの副画面用外部映像信号を２画面映像信号に合成する。
【００１８】
マイコン２３は、リモコン２６の操作内容に従って外部映像信号切替回路１８、主画像切替回路１３、ＨＤ／ＳＤ切替回路１５を切り換える他、テレビジョン受信部３２全体を制御する。リモコン２６を操作してリモコン受光部２４に赤外線による操作信号を送ると、この操作信号を受けたリモコン受光部２４は電圧信号に変換してマイコン２３にこの操作信号を出力する。
【００１９】
以上のように、テレビジョン受信部３２は、アンテナ１０からの受信映像信号と外部映像信号入力回路１７からの外部映像信号を、１画面表示、２画面表示のそれぞれの場合に応じて外部映像信号切替回路１８、主画像切替回路１３、ＨＤ／ＳＤ切替回路１５の切り替えを行い、２画面表示の場合には画像合成回路１６で２画面合成を行う。２画面として表示する場合には、画像合成するときの映像フォーマットを合わせて合成する必要があるので、ＨＤ−ＳＤ変換回路１４で主画面用の映像信号をＨＤ信号からＳＤ信号に変換し、画像処理回路２０からの副画面用ＳＤ信号と画像合成回路１６で合成するようになっている。
【００２０】
映像表示部３は、パネルコントロール回路２１、映像表示パネル２２などからなる。テレビジョン受信部３２から出力された映像信号はパネルコントロール回路２１に入り、パネル制御に適した信号に変換される。映像表示パネル２２はＣＲＴ、液晶、ＰＤＰ等の表示装置であり、パネルコントロール回路２１からの信号にしたがって画像表示を行う。
【００２１】
次に、従来回路での動作を説明する。
図５に示した従来技術のシステムは、１画面のときは、アンテナ１０からの受信映像信号、外部映像信号入力回路１７からの外部映像信号のいずれの画像も表示でき、主画面ＡにＨＤ信号、又はＳＤ信号による画像が表示できるようになっている。２画面のときは主画面Ａにアンテナ１０からの受信映像信号の画像が表示され、副画面Ｂには外部映像信号入力回路１７からの外部映像信号による画像が表示される。
【００２２】
この従来システム構成での1画面時に表示可能なＨＤ信号、ＳＤ信号の観点から見た画面表示形態は、アンテナ１０からの受信映像信号と外部映像信号入力回路１７からの外部映像信号とについてそれぞれＨＤ信号、ＳＤ信号の映像信号が考えられるので４種類がある。
【００２３】
また、２画面時に表示可能なＨＤ信号、ＳＤ信号の観点から見た画面表示形態は、主画面Ａにアンテナ１０からのＨＤ信号又はＳＤ信号の受信映像信号と、外部映像信号入力回路１７からのＳＤ信号の外部映像信号が考えられるので２種類がある。２画面表示するとき映像信号が異なるソースフォーマットである場合には、これらの映像フォーマットを合わせて合成する必要がある。画像合成回路１６に入力されるＨＤ／ＳＤ切替回路１５からの映像信号と画像処理回路２０からの映像信号は両方ともＳＤ信号である必要があるが、従来の図５に示したシステムでは外部映像信号入力回路１７から外部映像信号切替回路１８、画像処理回路２０を経由して画像合成回路１６に至る経路にＨＤ信号をＳＤ信号にダウンコンバートするＨＤ−ＳＤ変換回路がないため、外部映像受信機４から入力される副画面用外部映像信号はＳＤ信号のみ受け付けられる。したがって２画面時に表示可能な画面表示形態は２種類となるのである。
【００２４】
まず、１画面時の動作について説明する。
アンテナ１０からの受信映像信号を１画面として表示する場合には、外部映像信号切替回路１８はａ側、ｂ側どちらであってもよい。主画像切替回路１３はｃ側で画像処理回路１２からの映像信号を選択する。ＨＤ／ＳＤ切替回路１５は画像処理回路１２からの映像信号をそのまま通過させるためにｅ側が選択される。１画面の場合はＨＤ−ＳＤ変換を行わないためである。従って映像信号はアンテナ１０、受信回路１１、画像処理回路１２、主画像切替回路１３のｃ側、ＨＤ／ＳＤ切替回路１５のｅ側、画面合成回路１６を通り映像表示部３に出力され、パネルコントロール回路２１でパネル制御に適した信号に変換され映像表示パネル２２にて映像表示される。画面合成回路１６では画面合成は行われない。
【００２５】
外部映像信号入力回路１７からの外部映像信号を１画面として表示する場合には、外部映像信号切替回路１８はａ側を選択する。主画像切替回路１３はｄ側に入れ画像処理回路１９からの映像信号を選択する。ＨＤ／ＳＤ切替回路１５は画像処理回路１２からの映像信号をそのまま通過させるためにｅ側が選択される。１画面の場合はＨＤ−ＳＤ変換を行わないためである。従って外部映像受信機４からの外部映像信号は、外部映像信号入力回路１７、外部映像信号切替回路１８のａ側、画像処理回路１９、主画像切替回路１３のｄ側、ＨＤ／ＳＤ切替回路１５のｅ側、画像合成回路１６、パネルコントローラ回路２１を経て、映像表示パネル２２で画像表示されることになる。画面合成回路１６では画面合成は行われない。
【００２６】
なお、１画面時の外部映像受信機４のＨＤ／ＳＤ切替回路８の切り替え状態はｇ側（ＨＤ信号側）、ｈ側（ＳＤ信号側）いずれの場合も考えられる。すなわち、外部映像受信機４がＨＤ信号を受信し外部映像受信機４からＨＤ信号が出力されるときは、ＨＤ／ＳＤ切替回路８がｇ側に切り替えられており、アンテナ５からの受信映像信号は受信回路６、ＨＤ／ＳＤ切替回路８のｇ側、外部映像信号出力回路９を通ってテレビジョン受信部３２の外部映像信号入力回路１７に入力される。また、外部映像受信機４がＨＤ信号を受信し外部映像受信機４からＳＤ信号が出力されるときは、ＨＤ／ＳＤ切替回路８がｈ側に切り替えられており、アンテナ５からの受信信号は受信回路６、ＨＤ−ＳＤ変換回路７、ＨＤ／ＳＤ切替回路８のｈ側、外部映像信号出力回路９を通ってテレビジョン受信部３２の外部映像信号入力回路１７に入力される。また、外部映像受信機４がＳＤ信号を受信し外部映像受信機４からＳＤ信号が出力されるときは、ＨＤ／ＳＤ切替回路８がｇ側に切り替えられており、アンテナ５からの受信映像信号は受信回路６、ＨＤ／ＳＤ切替回路８のｇ側、外部映像信号出力回路９を通ってテレビジョン受信部３２の外部映像信号入力回路１７に入力される。
【００２７】
次に、２画面時の動作について説明する。
この場合には、アンテナ１０からの受信映像信号のＨＤ信号又はＳＤ信号の映像信号で主画面Ａが表示される。また、外部映像信号入力回路１７からの外部映像信号がＳＤ信号の場合は副画面Ｂを表示することができる。
【００２８】
アンテナ１０からの受信映像信号を２画面の主画面Ａとして表示し、外部映像信号入力回路１７からの外部映像信号を２画面の副画面Ｂとして表示する場合には、外部映像信号切替回路１８はｂ側を選択する。主画像切替回路１３はｃ側で画像処理回路１２からの映像信号を選択する。ＨＤ／ＳＤ切替回路１５は画像処理回路１２からの映像信号がＳＤ信号の場合にはそのまま通過させるためにｅ側が選択され、ＨＤ信号の場合はｆ側が選択される。これにより画像処理回路１２からの映像信号がＨＤ信号、ＳＤ信号のいずれであってもＳＤ信号として画像合成回路１６に入力される。
【００２９】
したがって、アンテナ１０からの受信映像信号がＳＤ信号のときは、受信回路１１、画像処理回路１２を通り、主画像切替回路１３のｃ側、ＨＤ／ＳＤ切替回路１５のｅ側を通り、画面合成回路１６に入力される。また、アンテナ１０からの受信映像信号がＨＤ信号のときは、受信回路１１、画像処理回路１２を通り、主画像切替回路１３のｃ側、ＨＤ−ＳＤ変換回路１４、ＨＤ／ＳＤ切替回路１５のｆ側を通り、画面合成回路１６に入力される。また、外部映像信号入力回路１７からのＳＤ信号の外部映像信号は、外部映像信号入力回路１７、外部映像信号切替回路１８のｂ側、画像処理回路２０を通り、画面合成回路１６に入力される。画面合成回路１６に入力されたアンテナ１０からの受信映像信号と外部映像信号入力回路１７からの外部映像信号は画面合成回路１６で２画面に合成され、映像表示部３に出力される。合成された映像信号はパネルコントロール回路２１でパネル制御に適した信号に変換され、映像表示パネル２２に２画面として表示される。
【００３０】
なお、２画面時の外部映像受信機４からの映像信号はＳＤ信号である必要がある。すなわち、外部映像受信機４がＨＤ信号を受信し外部映像受信機４からＳＤ信号を出力するときは、ＨＤ／ＳＤ切替回路８の切り替え状態はｈ側に切り替えられていることが必要で、このとき、アンテナ５からの受信映像信号は受信回路６、ＨＤ−ＳＤ変換回路７、ＨＤ／ＳＤ切替回路８のｈ側、外部映像信号出力回路９を通ってテレビジョン受信部３２の外部映像信号入力回路１７に入力される。また、外部映像受信機４がＳＤ信号を受信し外部映像受信機４からＳＤ信号を出力するときは、ＨＤ／ＳＤ切替回路８がｇ側に切り替えられ、アンテナ５からの受信信号は受信回路６、ＨＤ／ＳＤ切替回路８のｇ側、外部映像信号出力回路９を通ってテレビジョン受信部３２の外部映像信号入力回路１７に入力される。外部映像受信機４がＨＤ信号を受信しているときＨＤ／ＳＤ切替回路８をｇ側に切り替えた状態にするとＨＤ信号が出力されてしまうので、この切り替え状態は使用できない。
【００３１】
また、図５に示した外部映像受信機４ではＨＤ信号とＳＤ信号を内部で切り替えて出力することが可能になっているが、外部映像受信機４がＨＤ信号のみ出力するような他の機器の場合は、外部映像信号入力回路１７にＨＤ信号を出力しても２画面として合成できないので副画面用として受け付けられず、２画面表示はできない。
【００３２】
次に、上記１画面表示から２画面表示に切り替えるときの動作を説明する。
外部映像受信機４からの映像をＨＤ信号で入力して１画面で視聴している状態から２画面表示に切り替える場合、２画面時の副画面用映像信号をＳＤ信号にする必要がある。しかし、外部映像受信機４からはＨＤ信号が入力されており、自動的にＨＤ信号からＳＤ信号に変えられない。したがって、リモコン２９を手動で操作して外部映像受信機４のＨＤ／ＳＤ切替回路８をｈ側に切り替え、ＳＤ信号を出力するようにする。
【００３３】
次に、上記２画面表示からに１画面表示に切り替えるときの動作を説明する。
２画面時は、主画面用としてアンテナ１０からの受信映像信号の画像（ＨＤ信号、ＳＤ信号のいずれによる画像表示も考えられる）が表示され、副画面用として外部映像受信機４からのＳＤ信号による画像が表示される。
【００３４】
このような状態から外部映像受信機４からの映像信号による１画面表示に切り替えると、外部映像受信機４のＨＤ／ＳＤ切替回路８は自動的に切り替えを行うことはできないので、外部映像受信機４からＳＤ信号が出力される１画面表示となる。外部映像受信機４がＨＤ信号を受信しているとき外部映像受信機４からのＨＤ信号による１画面表示とする場合には、リモコン２９を手動で操作してＨＤ／ＳＤ切替回路８をｇ側に切り替える。
【００３５】
なお、異なるソースフォーマットの映像信号を多画面表示する従来技術の他の例として特開２００１−２６８４７３号公報がある。この従来技術には、複数の入力端子をもち、受信あるいは入力された映像フォーマットに応じて、これらの映像ソースを最適化した組み合わせのフォーマットに変換して出力することにより、最適の２画面表示を行うテレビジョン放送受信機が示されている。
【特許文献１】特開２００１−２６８４７３号公報
【発明の開示】
【発明が解決しようとする課題】
【００３６】
上記従来の映像表示システムは、１画面のときは主画面Ａにアンテナ１０からの受信映像信号又は外部映像信号入力回路１７からの外部映像信号による映像が表示でき、映像信号のソースフォーマットはＨＤフォーマット、ＳＤフォーマットのいずれでも良い。また、２画面のときは主画面Ａにアンテナ１０からの受信映像信号による画像が表示でき、副画面Ｂに外部映像信号入力回路１７からの外部映像信号による画像が表示できるようになっている。この場合、共にＳＤ信号とした映像信号を画像合成回路１６で２画面に合成して表示できるようになっている。したがって、どちらかの映像信号がＨＤ信号であるとき、これを２画面で表示するためには映像フォーマットを合わせるためにＨＤ信号をＨＤ−ＳＤ信号変換回路でＳＤ信号に変換している。アンテナ１０からの受信映像信号と外部映像信号入力回路１７からの外部映像信号の両方ともＨＤ信号である場合を考えると、ＨＤ−ＳＤ信号変換回路は２回路備えているのが理想である。しかしながら、ＨＤ−ＳＤ信号変換回路は回路規模が大きいため、ＩＣのゲート数の制限、コストとの兼ね合いからＨＤ−ＳＤ信号変換回路を１回路のみ実装することが一般的な形態となっている。したがって、１画面のとき、主画面ＡはＨＤ信号、ＳＤ信号の両方を表示できるが、２画面のときは外部映像受信機４からの副画面ＢについてはＳＤ信号のみ表示可能であった。
【００３７】
ここで、外部映像受信機４の外部映像信号による視聴に注目する。１画面として外部映像受信機４からの映像を見る場合、ＨＤ信号による視聴とＳＤ信号による視聴が可能であるが、より高品位での視聴を考えると視聴者はＨＤ信号を選ぶのが普通である。そのため、視聴者は外部映像受信機４のＨＤ／ＳＤ切替回路８をｇ側に切り替えて視聴する。
【００３８】
次に、視聴者が１画面表示から２画面表示の視聴に切り替えようとするとき、ＨＤ／ＳＤ切替回路８がｇ側になっており外部映像受信機４からＨＤ信号を出力している場合を考える。この状態では前述のように、２画面時の副画面Ｂが画像合成回路１６でＳＤ信号による合成できないことから、２画面に移行せず１画面のまま「２画面表示できません」のメッセージが出てしまう。視聴者が２画面表示を行うためには、ＨＤ／ＳＤ切替回路８をｈ側にしなければならないが、従来はＨＤ／ＳＤ切替回路８をｈ側に自動的に切り替えることはできなかった。
【００３９】
次に、外部映像受信機４がＨＤ信号を受信し視聴者が２画面表示で視聴している場合には外部映像受信機４からの映像信号はＳＤ信号（ＨＤ／ＳＤ切替回路８がｈ側）となっているが、その状態から外部映像受信機４の映像信号を１画面で視聴する状態に切り換えると、外部映像受信機４からの映像をＳＤ信号で視聴することになる。より高品位で視聴するためには視聴者が外部映像受信機４のＨＤ／ＳＤ切替回路８をｇ側に切り換えなければならないが、従来はｇ側に自動的に切り替えることはできなかった。
【００４０】
このように外部入力信号について２画面視聴と、高品位でのＨＤ信号による１画面視聴を両立するには、視聴者は１画面、２画面の切り替えごとに外部映像受信機４のＨＤ／ＳＤ切替回路８を切り換えなければならないため、切り替え操作の手間が増えてしまう。この従来例ではリモコン２９の操作により外部映像受信機４のＨＤ／ＳＤ切替回路８を切り替える場合を説明したが、ＯＳＤ表示のメニューによって切り換える方法も一般的な手法であり、この場合は視聴者はさらに煩雑な操作が必要になっていた。
【００４１】
また、特開２００１−２６８４７３号公報に開示された従来技術は、複数の入力端子をもち、受信あるいは入力された映像フォーマットに応じて、これらの映像ソースを最適化した組み合わせのフォーマットに変換して出力することにより、最適の２画面表示を行うテレビジョン放送受信機が示されている。しかし、複数のフォーマット変換を持つことはコスト的、ＬＳＩのチップの規模的制限により製品上困難な場合がある。その場合の対応については記載されておらず、そのような制限のある製品では副画面Ｂの映像表示が画像合成に適した特定のフォーマットでしか表示できない問題点があった。
【００４２】
上記の如く、複数の映像フォーマットの映像信号を入力できる複数の外部入力回路を備え、多画面時の副画面が画像合成に適した特定の映像フォーマットのみ表示できる多画面テレビジョン受信機において、前記複数の映像フォーマットの映像信号が同一番組があった時、１画面での外部入力映像視聴時に高品位の映像フォーマットで視聴しようとすると、外部映像受信機４からの外部映像信号入力を高品位の映像フォーマット信号に手動で切り替える必要があった。また、視聴者が１画面から多画面への切替操作を行い、多画面の副画面に外部入力信号を表示させようとした場合は、外部映像受信機４からの外部映像信号入力を画像合成に適した特定の映像フォーマットに手動で切り換える必要があった。
【００４３】
このように、従来の多画面表示のテレビジョン受信機においては、多画面表示の映像合成に必要な映像フォーマット切替用ＨＤ−ＳＤ信号変換回路（ダウンコンバート回路）は回路規模が大きく、ＩＣのゲート数の制限、コストとの兼ね合いから、ＨＤ−ＳＤ信号変換を１回路のみしか実装できないという事情があったので、視聴者は１画面の外部入力映像の高品位での視聴と多画面での外部入力映像の視聴を両立するためには、１画面表示では外部入力を高品位映像フォーマットに、多画面表示では画像合成に適した特定の映像フォーマットにというように、画面表示を切り換えるごとに外部入力の映像フォーマットを切り替えねばならず不便であった。
本発明はこのような従来の問題点に鑑みてなされたものであって、テレビジョン受信部にダウンコンバート回路を１回路実装するのみで、視聴者が１画面表示から多画面表示の視聴に切り替えを行うとき外部映像受信機からの映像フォーマットを自動的に変更することができ、また、視聴者が多画面表示から外部映像受信機の映像出力による１画面表示の視聴に切り替えを行うとき外部映像受信機の映像フォーマットを自動的に切り替えることができ、視聴者は煩雑な操作をする必要がなく、高品位での１画面表示の視聴と多画面表示自動切替ができるテレビジョン受信機を提供することにある。
【課題を解決するための手段】
【００４４】
本発明の請求項１に係る発明の要旨は、複数種のソースフォーマットの映像信号を受信、及び複数種のソースフォーマットの映像信号を外部機器から入力して映像表示パネルに多画面として表示することができる映像表示装置において、複数種のソースフォーマットの映像信号を受信することができる受信部と、多画面表示時に前記受信部で受信した映像信号を多画面に合成するのに適したフォーマットの映像信号として出力するフォーマット変換部と、前記外部機器からの映像信号を入力する外部映像信号入力部と、前記フォーマット変換部から出力される映像信号と前記外部映像信号入力部からの映像信号を多画面用映像信号に合成する画像合成回路と、前記外部機器から出力される映像信号のフォーマットを変えて出力するよう指令する操作信号を前記外部機器に出力するフォーマット切替指令手段を備えたことを特徴とする映像表示装置に存する。
また、本発明の請求項２に係る発明の要旨は、前記フォーマット切替指令手段は、多画面表示のときに前記外部機器から出力される映像信号のフォーマットを前記画像合成回路で合成可能なフォーマットで出力するよう指令する操作信号を前記外部機器に出力することを特徴とする請求項１に記載の映像表示装置に存する。
また、本発明の請求項３に係る発明の要旨は、前記フォーマット切替指令手段は、１画面表示のときに、前記外部機器から出力する映像信号のフォーマットを、元の映像信号のソースフォーマットから変換しないで出力するよう指令する操作信号を前記外部機器に出力することを特徴とする請求項１に記載の映像表示装置に存する。
また、本発明の請求項４に係る発明の要旨は、前記フォーマット切替指令手段は、多画面表示のときに前記外部機器から出力される映像信号のフォーマットを前記画像合成回路で合成可能なフォーマットで出力するよう指令する操作信号を前記外部機器に出力し、１画面表示のときに、前記外部機器から出力する映像信号のフォーマットを、元の映像信号のソースフォーマットから変換しないで出力するよう指令する操作信号を前記外部機器に出力することを特徴とする請求項１に記載の映像表示装置に存する。
また、本発明の請求項５に係る発明の要旨は、前記受信部で受信する前記複数種のソースフォーマットはＨＤ信号とＳＤ信号であり、前記多画面合成に適したフォーマットとはＳＤ信号であることを特徴とする請求項１乃至請求項４のいずれか一項に記載の映像表示装置に存する。
また、本発明の請求項６に係る発明の要旨は、前記フォーマット変換部は映像信号のソースフォーマットをＨＤ信号からＳＤ信号にダウンコンバートするＨＤ−ＳＤ信号変換回路を１回路のみ備えたことを特徴とする請求項１乃至請求項５のいずれか一項に記載の映像表示装置に存する。
また、本発明の請求項７に係る発明の要旨は、前記フォーマット切替指令手段は、前記外部機器から出力される映像信号のフォーマットを切り替える操作信号を発信するリモコン発光部を備えることを特徴とする請求項１乃至請求項６のいずれか一項に記載の映像表示装置に存する。
また、本発明の請求項８に係る発明の要旨は、前記リモコン発光部はビデオマウスであることを特徴とする請求項７に記載の映像表示装置に存する。
また、本発明の請求項９に係る発明の要旨は、前記フォーマット切替指令手段は、前記外部映像信号入力部から入力される映像信号のフォーマットを判別するＨＤ／ＳＤ判別部と、２画面表示のときに前記ＨＤ／ＳＤ判別部が前記外部映像信号入力部から入力される映像信号のフォーマットをＨＤ信号と判別したとき前記リモコン発光部に前記外部機器から出力される映像信号のフォーマットを切り替える操作信号を送信するフォーマット切替信号送信手段を備えたことを特徴とする請求項７又は請求項８に記載の映像表示装置に存する。
また、本発明の請求項１０に係る発明の要旨は、前記フォーマット切替指令手段は、１画面表示のときに、前記外部機器から出力する映像信号のフォーマットを、元の映像信号のソースフォーマットから変換しないで出力するよう指令する操作信号を前記リモコン発光部に送信するフォーマット切替信号送信手段を備えたことを特徴とする請求項７又は請求項８のいずれか一項に記載の映像表示装置に存する。
また、本発明の請求項１１に係る発明の要旨は、複数種のソースフォーマットの映像信号を受信、及び複数種のソースフォーマットの映像信号を外部機器から入力して映像表示パネルに多画面として表示することができる映像表示システムにおいて、複数種のソースフォーマットの映像信号を受信することができる受信部と、多画面表示時に前記受信部で受信した映像信号のソースフォーマットを多画面に合成するのに適したフォーマットとして出力するフォーマット変換部と、映像信号のソースフォーマットを操作信号により切り替えて多画面合成に適したフォーマットの映像信号として出力することのできる前記外部機器と、前記外部機器からの映像信号を入力する外部映像信号入力部と、前記フォーマット変換部から出力される映像信号と前記外部映像信号入力部からの映像信号を多画面用映像信号に合成する画像合成回路と、前記外部機器から出力される映像信号のフォーマットを変えて出力するよう指令する操作信号を前記外部機器に出力するフォーマット切替指令手段を備えたことを特徴とする映像表示システムに存する。
また、本発明の請求項１２に係る発明の要旨は、前記フォーマット切替指令手段は、多画面表示時に前記外部機器から出力する映像信号のフォーマットを前記画像合成回路で合成可能なフォーマットで出力するよう指令する前記操作信号を前記外部機器に出力することを特徴とする請求項１１に記載の映像表示システムに存する。
また、本発明の請求項１３に係る発明の要旨は、前記フォーマット切替指令手段は、１画面表示時に、前記外部機器から出力する映像信号のフォーマットを、元の映像信号のソースフォーマットから変換しないで出力するよう指令する前記操作信号を前記外部機器に送信することを特徴とする請求項１１に記載の映像表示システムに存する。
また、本発明の請求項１４に係る発明の要旨は、前記フォーマット切替指令手段は、多画面表示時に、前記外部機器から出力する映像信号のフォーマットを、前記画像合成回路で合成可能なフォーマットで出力するよう指令する前記操作信号を前記外部機器に出力し、１画面表示時に、前記外部機器から出力する映像信号のフォーマットを、元の映像信号のソースフォーマットから変換しないで出力するように指令する前記操作信号を前記外部機器に送信することを特徴とする請求項１１に記載の映像表示システムに存する。
また、本発明の請求項１５に係る発明の要旨は、複数種のソースフォーマットの映像信号を受信、及び複数種のソースフォーマットの映像信号を外部機器から入力して映像表示パネルに多画面として表示することができる映像表示装置の多画面表示方法において、画面表示を多画面表示か１画面表示かの表示状態に応じて前記外部機器から出力される映像信号のフォーマットを変えて出力するよう指令する操作信号を前記外部機器に出力することを特徴とする映像表示装置の多画面表示方法に存する。
また、本発明の請求項１６に係る発明の要旨は、複数種のソースフォーマットの映像信号を受信、及び複数種のソースフォーマットの映像信号を外部機器から入力して映像表示パネルに多画面として表示することができる映像表示装置の多画面表示方法において、多画面表示する際は、前記外部機器から出力される映像信号のフォーマットが多画面合成するのに適したフォーマットになるように選択して出力し、前記外部機器からの映像信号で１画面表示する際は、前記外部機器から出力される映像信号が最も高品位の映像信号となるフォーマットを選択して出力するように前記外部機器の出力を切り替えることを特徴とする映像表示装置の多画面表示方法に存する。
また、本発明の請求項１７に係る発明の要旨は、複数種のソースフォーマットの映像信号を受信、及び複数種のソースフォーマットの映像信号を外部機器から入力して映像表示パネルに多画面として表示することができる映像表示装置の多画面表示方法において、前記外部機器から出力される映像信号のフォーマットが多画面表示する際に多画面に合成するのに適したフォーマットで出力するように前記外部機器に操作信号を出力する第１工程と、映像信号を受信して、該受信した映像信号のソースフォーマットを多画面表示する際に多画面に合成するのに適したフォーマットの映像信号として出力する第２工程と、多画面表示する際に前記第２工程で出力された映像信号と前記外部機器から入力される映像信号を多画面用映像信号に合成する第３工程を備えたことを特徴とする映像表示装置の多画面表示方法に存する。
また、本発明の請求項１８に係る発明の要旨は、前記複数種のソースフォーマットはＨＤ信号とＳＤ信号であり、前記多画面合成に適したフォーマットとはＳＤ信号であることを特徴とする請求項１７に記載の映像表示装置の多画面表示方法に存する。
また、本発明の請求項１９に係る発明の要旨は、前記第１工程は、前記外部機器から出力される映像信号のフォーマットを切り替える操作信号をリモコン発光部から前記外部機器のリモコン受光部に発信する第４の工程を含むことを特徴とする請求項１７又は請求項１８のいずれか一項に記載の映像表示装置に存する。
また、本発明の請求項２０に係る発明の要旨は、前記第１工程は、前記外部映像信号入力部から入力される映像信号のフォーマットがＨＤ信号かＳＤ信号かを判別する第５の工程と、前記第５の工程でＨＤ信号と判別したとき前記リモコン発光部に前記外部機器から出力される映像信号のフォーマットを切り替える操作信号を送信する第６の工程を備えたことを特徴とする請求項１９に記載の映像表示装置に存する。
また、本発明の請求項２１に係る発明の要旨は、１画面表示のときに、前記外部機器から出力される映像信号のフォーマットを、元の映像信号のソースフォーマットから変換しないで出力するように指令する操作信号を前記外部機器に送信する第７の工程を備えたことを特徴とする請求項１８乃至請求項２０のいずれか一項に記載の映像表示装置に存する。
【発明の効果】
【００４５】
本発明によれば、テレビジョン受信部にダウンコンバート回路を１回路実装するのみで、視聴者が１画面表示から多画面表示の視聴に切り替えを行うとき、外部映像受信機からの映像フォーマットを自動的に変更することができ、視聴者は煩雑な操作をする必要がなく多画面表示に切り替えできる。
また、テレビジョン受信部にダウンコンバート回路を１回路実装するのみで、視聴者が多画面表示から外部映像受信機の映像出力による１画面表示の視聴に切り替えを行うとき、外部映像受信機の映像フォーマットを自動的に切り替えることができ、視聴者は煩雑な操作を行うことなく１画面時での高品位視聴ができる。
【発明を実施するための最良の形態】
【００４６】
本発明によるテレビジョン受信機の実施の形態を図１に示す。
図１において、１はテレビジョン受信機、２はテレビジョン受信部、３は映像表示部、４はテレビジョン受信部２に外部機器として外付けされた外部映像受信機、２６はリモコンである。
【００４７】
本発明のテレビジョン受信機システムは、図５に示した従来のテレビジョン受信機システムに対し次の点で異なっている。すなわち、テレビジョン受信機１はリモコン発光部２５を備えており、マイコン２３の指令により外部映像受信機４のリモコン受光部２８に赤外線による操作信号を送信するようになっている。リモコン２６を操作してリモコン受光部２４に操作信号を送信すると、リモコン受光部２４はこの操作信号を電圧信号に変換してマイコン２３に出力する。マイコン２３は、リモコン２６の操作内容に従って外部映像信号切替回路１８、主画像切替回路１３、ＨＤ／ＳＤ切替回路１５を切り換える他、リモコン発光部２５に外部映像受信機４のＨＤ／ＳＤ切替回路８を切り替える指令を出力する。また、マイコン２３はテレビジョン受信部２全体を制御する。また、３０はＨＤ／ＳＤ判別部である。従来の図５におけるＨＤ／ＳＤ判別部３３は受信回路１１の映像信号がＨＤ信号かＳＤ信号かを判別するのみであったが、本発明のＨＤ／ＳＤ判別部３０はこれに加えて、外部映像信号入力回路１７から入力される映像信号がＨＤ信号かＳＤ信号かをも判別する。これらマイコン２３、リモコン受光部２４、リモコン発光部２５、リモコン２６、ＨＤ／ＳＤ判別部３０などは、フォーマット切替指令手段を構成する。
【００４８】
その他、図５の符号と同一のものは同じものを示し、従来技術として図５に基づき説明したものと同様に動作する。以下の説明で、図５に示した従来技術と同じのものは説明を省略するか簡単な説明とする。
【００４９】
まず、本発明で追加されたリモコン発光部２５は、テレビジョン受信部２から外部映像受信機４を制御するために設けられたもので、図５のリモコン２９の役割をするものである。リモコン発光部２５は、例えばビデオマウスなどが利用でき、テレビジョン受信部２からコードで延長して外部映像受信機４のリモコン受光部２８の近傍に貼り付けて使用することができる。ビデオマウスを利用する場合には外部映像受信機４はリモコン２９からの操作信号を受けるリモコン受光部２８をそのまま使用することができる。この追加されたリモコン発光部２５によりマイコン２３からマイコン２７に信号を送信することができる。リモコン２６の操作により１画面、２画面の表示切替指令が行われると、この表示切替指令を受け取ったマイコン２３は以下図２のフローチャートで説明するようにＨＤ／ＳＤ切替回路８をｇ側、ｈ側のどちらにしたら良いかを判断して切り替える。
【００５０】
以下、図２を参照して１画面、２画面の表示切替動作を説明する。
まず、予めメニュー設定などで外部映像受信機４がＨＤ信号からＳＤ信号にダウンコンバートすることのできるＨＤ−ＳＤ信号変換回路を内蔵しておりＨＤ信号とＳＤ信号を切り替えて出力可能かを設定しておくものとする。外部映像受信機４がＨＤ信号を受信しているときＳＤ信号に切り替えできなければ２画面に切り替えることはできない。この設定はテレビジョン受信部２に備わる記憶手段（図示省略）に記憶される。例えばＳＤ信号に切り替え可能であれば記憶手段に１がセットされ、切り替えできないときは０がセットされる。
【００５１】
ステップＳ１において、１画面、２画面の切り替え指示があったかどうかをチェックする。これはマイコン２３が、リモコン２６の操作による表示切替指令が入力されたか否かをチェックすることにより行われる。
【００５２】
表示切替指令が入力されていない場合にはステップＳ１１に進み、１画面表示中かをチェックする。
【００５３】
ステップＳ１１で１画面表示中であると判断されたときはステップＳ１に戻り処理を継続する。
【００５４】
ステップＳ１１で１画面表示中でないと判断されたときはステップＳ１２に進む。
【００５５】
ステップＳ１２では、画面切り替えは指示されていないが、２画面表示中に外部映像受信機４の受信状態が変化し、ＳＤ信号受信からＨＤ信号受信になっていないかをチェックする。これはマイコン２３がＨＤ／ＳＤ判別部３０の判別結果を読み取ることにより行われる。外部映像受信機４が２画面表示のときＳＤ信号を受信していると、ＨＤ／ＳＤ切替回路８はｇ側になるようにセットされているが、受信状態がＨＤ信号になると外部映像受信機４からＨＤ信号が出力され、画像合成回路１６で２画面の映像合成が行えなくなるからである。
【００５６】
ステップＳ１２で外部映像受信機４からの入力がＨＤ信号ではない（ＳＤ信号である）と判断されたときはステップＳ１に戻り処理を継続する。
【００５７】
ステップＳ１２で外部映像受信機４からの入力がＨＤ信号であると判断されたときは、ステップＳ４に進む。このときは、外部映像受信機４の受信状態が変化し、ＳＤ信号受信からＨＤ信号受信になったと判断される。
【００５８】
ステップＳ４では外部映像受信機４がＳＤ信号を出力するように切り替えが可能かどうかをチェックする。外部映像受信機４がＳＤ信号を出力するように切り替えが可能かどうかは、上記のように予めテレビジョン受信部２に備わる記憶手段に記憶されているので、該記憶手段に記憶された内容をチェックすることにより判断することができる。
【００５９】
ステップＳ４において外部映像受信機４がＳＤ信号を出力するように切り替えができない（Ｎｏ）と判断されたときは、ステップＳ５に進む。ステップＳ５では、２画面に切り替えができないので画面を１画面のままとし、また、外部映像受信機４のＨＤ／ＳＤ切替回路８はｇ側になるようにセットして、受信したＨＤ信号又はＳＤ信号を直接出力できるようにしておく。この場合「２画面表示できません」などの表示をすれば視聴者に切り替え不可能なことを認識させることができる。
【００６０】
ステップＳ４において外部映像受信機４がＳＤ信号を出力するように切り替えができる（Ｙｅｓ）と判断されたときは、ステップＳ６に進む。
【００６１】
ステップＳ６ではマイコン２３からリモコン発光部２５に外部映像受信機４のＨＤ／ＳＤ切替回路８をｈ側に切り替える指令路を出力する。リモコン受光部２８からＨＤ／ＳＤ切替回路８の切替指令を受け取ったマイコン２７はＨＤ／ＳＤ切替回路８をｈ側に切り替える。これにより外部映像受信機４の外部映像信号出力回路９にはＳＤ信号が出力されるようになる。
【００６２】
次にステップＳ７に進み、外部映像受信機４からの映像信号を副画面Ｂとするために外部映像信号切替回路１８をｂ側に切り替える。また主画面Ａはアンテナ１０からの受信映像を表示するように主画像切替回路１３、ＨＤ／ＳＤ切替回路１５を切り替える。これによりアンテナ１０からの受信映像を主画面Ａ、外部映像受信機４からの映像信号を副画面Ｂとした２画面が映像表示パネル２２に表示される。
【００６３】
ステップＳ１で、表示切替指令が入力された場合（Ｙｅｓの場合）はステップＳ２に進み、１画面から２画面への切り替え指示か否かをチェックする。ステップＳ２で１画面から２画面への切り替え指示であった場合（Ｙｅｓの場合）にはステップＳ３に進む。
【００６４】
ステップＳ３では外部映像受信機４からの入力がＨＤ信号か否かがチェックされる。これはマイコン２３がＨＤ／ＳＤ判別部３０の判別結果を読み取ることにより行われる。ステップＳ３でＨＤ／ＳＤ判別部３０の判別結果がＨＤ信号であった場合（Ｙｅｓの場合）にはステップＳ４に進む。
【００６５】
ステップＳ４では外部映像受信機４がＳＤ信号を出力するように切り替えが可能かどうかをチェックする。外部映像受信機４がＳＤ信号を出力するように切り替えが可能かどうかは、上記のように予めテレビジョン受信部２に備わる記憶手段に記憶されているので、該記憶手段に記憶された内容をチェックすることにより判断することができる。
【００６６】
ステップＳ４において外部映像受信機４がＳＤ信号を出力するように切り替えができない（Ｎｏ）と判断されたときは、ステップＳ５に進む。ステップＳ５では、２画面に切り替えができないので画面を１画面のままとし、また、外部映像受信機４のＨＤ／ＳＤ切替回路８はｇ側になるようにセットして、受信したＨＤ信号又はＳＤ信号を直接出力できるようにしておく。この場合「２画面表示できません」などの表示をすれば視聴者に切り替え不可能なことを認識させることができる。
【００６７】
ステップＳ４において外部映像受信機４がＳＤ信号を出力するように切り替えができる（Ｙｅｓ）と判断されたときは、ステップＳ６に進む。
【００６８】
ステップＳ６ではマイコン２３からリモコン発光部２５に外部映像受信機４のＨＤ／ＳＤ切替回路８をｈ側に切り替える指令路を出力する。リモコン受光部２８からＨＤ／ＳＤ切替回路８の切替指令を受け取ったマイコン２７はＨＤ／ＳＤ切替回路８をｈ側に切り替える。これにより外部映像受信機４の外部映像信号出力回路９にはＳＤ信号が出力されるようになる。
【００６９】
次にステップＳ７に進み、外部映像受信機４からの映像信号を副画面Ｂとするために外部映像信号切替回路１８をｂ側に切り替える。また主画面Ａはアンテナ１０からの受信映像を表示するように主画像切替回路１３、ＨＤ／ＳＤ切替回路１５を切り替える。これによりアンテナ１０からの受信映像を主画面Ａ、外部映像受信機４からの映像信号を副画面Ｂとした２画面が映像表示パネル２２に表示される。
【００７０】
ステップＳ３でＨＤ／ＳＤ判別部３０の判別結果がＳＤ信号であった場合（Ｎｏの場合）にはステップＳ７に進む。この場合には外部映像受信機４からの映像信号をＳＤ信号に切り替える必要がないのでＨＤ／ＳＤ切替回路８の切り替えは行われない。すなわち、ｇ側にセットされたままとする。ステップＳ７では上記同様、アンテナ１０からの受信映像を主画面Ａ、外部映像受信機４からの映像信号を副画面Ｂとした２画面が映像表示パネル２２に表示される。
【００７１】
ステップＳ２で、リモコン２６からの切り替え指示が１画面から２画面への切り替え指示でなかった場合（Ｎｏの場合）、すなわち、２画面から１画面への切り替え指示であった場合にはステップＳ８に進む。
【００７２】
ステップＳ８では１画面としての主画面を外部映像信号入力によるものとするか否かがチェックされる。ステップＳ８で主画面を外部映像信号入力によるものとするとき（Ｙｅｓの場合）には、ステップＳ９に進む。
【００７３】
ステップＳ９では、ＨＤ／ＳＤ切替回路８をｇ側に切り替え、外部映像受信機４からの映像信号を主画面として１画面表示する。このとき外部映像信号切替回路１８はａ側に切り替えられ、主画像切替回路１３はｄ側に切り替えられ、ＨＤ／ＳＤ切替回路１５はｅ側に切り替えられる。
【００７４】
ステップＳ８で主画面がアンテナ１０からの受信映像信号によるものであるとき（Ｎｏの場合）には、ステップＳ１０に進む。ステップＳ１０では、主画像切替回路１３をｃ側に切り替え、ＨＤ／ＳＤ切替回路１５をｅ側に切り替え、アンテナ１０からの受信映像信号を主画面として１画面表示する。このとき、ＨＤ／ＳＤ切替回路８はｇ側、ｈ側いずれにセットされていてもよいが、他の１画面表示状態との統一をとるためにｇ側にセットすれば制御がしやすくなる。
【００７５】
以上のように、本実施の形態によれば、視聴者が１画面表示から２画面表示の視聴に切り替えを行うとき、外部映像受信機４にＨＤ−ＳＤ変換回路７を備えたものを用意すれば、外部映像受信機４の映像出力をＨＤ信号からＳＤ信号に自動的に変更することができるようになる。また、視聴者が２画面表示から外部映像受信機４の映像出力による１画面表示の視聴に切り替えを行うとき、外部映像受信機４にＨＤ−ＳＤ変換回路７を備えたものを用意すれば、外部映像受信機４の映像出力を自動的にＳＤ信号からＨＤ信号に切り替えることができるようになる。これにより、外部映像受信機４にＨＤ−ＳＤ変換回路７を備えたものを用意すれば、テレビジョン受信部２にはダウンコンバート回路を１回路実装するのみで、１画面と２画面の表示が自動的に切り替えでき、１画面のときは高品位の画像表示で視聴できるようになる。
【００７６】
以上の実施の形態では、フォーマットの異なる映像信号としてＨＤ信号とＳＤ信号を例にとって説明したが、本発明はＨＤ信号とＳＤ信号に限定されない。
また、上記実施の形態ではテレビジョン受信機を例に説明したが、本発明はこれに限らず、異なるソースフォーマットの複数の映像信号を入力して映像表示パネルに複数の画面として表示する映像表示装置（テレビジョン受信機１に相当）に適用することができる。この場合、映像表示装置に外付けされる外部機器の映像フォーマットコンバータ（ダウンコンバータ、アップコンバータなどのフォーマット変換回路で、上記実施の形態でのＨＤ−ＳＤ変換回路７に相当）を利用し、この分を映像表示装置内蔵の映像フォーマットコンバータを減らすことができる。
【００７７】
また、上記実施の形態では１画面と２画面の切り替えを例に説明したが、本発明は、外付けされた外部機器として複数の外部映像受信機が接続され、２画面以上の複数の画面を表示する多画面表示にも適用することができる。この場合には複数設けられた外部機器からの映像信号を合成するとき、画像合成回路（画像合成回路１６に相当）に入力する映像フォーマットを、それぞれの外部機器に内蔵された映像フォーマットコンバータ（ＨＤ−ＳＤ変換回路７に相当）で画像合成に適した特定の映像フォーマットに合わせるようにすれば良い。
【００７８】
以上、具体的な実施の形態によって説明したが、本発明は上記実施の形態に限定されず、発明の要旨を変更しない範囲で適宜変更して実施できることは言うまでもない。
【産業上の利用可能性】
【００７９】
本発明は、入力される映像信号のソースフォーマットが複数種ある映像表示装置で、ダウンコンバート回路の使用個数を少なく抑えなければならないような場合の、多画面の画面切り替えに広く利用できる。
【図面の簡単な説明】
【００８０】
【図１】本発明によるテレビジョン受信機の具体的な実施の形態を示す図である。
【図２】本発明の図１に示す実施の形態の動作フローチャートである。
【図３】２画面表示の具体的一例を示す図である。
【図４】２画面表示の具体的な他の一例を示す図である。
【図５】従来技術によるテレビジョン受信機の具体的な実施の形態を示す図である。
【符号の説明】
【００８１】
１、３１・・・テレビジョン受信機
２、３２・・・テレビジョン受信部
３・・・映像表示部
４・・・外部映像受信機
５、１０・・・アンテナ
６、１１・・・受信回路
７、１４・・・ＨＤ−ＳＤ変換回路
８、１５・・・ＨＤ／ＳＤ切替回路
９・・・外部映像信号出力回路
１２、１９、２０・・・画像処理回路
１３・・・主画像切替回路
１６・・・画像合成回路
１７・・・外部映像信号入力回路
１８・・・外部映像信号切替回路
２１・・・パネルコントロール回路
２２・・・映像表示パネル
２３、２７・・・マイコン
２４、２８・・・リモコン受光部
２５・・・リモコン発光部
２６、２９・・・リモコン
３０、３３・・・ＨＤ／ＳＤ判別部
【図１】
2007043268.tif 000003
【図２】
2007043268.tif 000004
【図３】
2007043268.tif 000005
【図４】
2007043268.tif 000006
【図５】
2007043268.tif 000007